(57)【要約】【課題】無線ＬＡＮシステムにおけるクライアント端末による余計な送信電力の消費を防止して消費電力を低減する。【解決手段】無線ＬＡＮシステム１００は、クライアント端末１０とアクセスポイント２０，２０Ａ，２０Ｂとを含んで構成され、クライアント端末１０は、一のアクセスポイントと無線通信するのに必要な送信電力値に関する電力情報をアクセスポイントごとに規定するプロファイル情報を予め記憶するプロファイル記憶部１３と、在圏するアクセスポイントから固有ＩＤを受信する無線部１４と、固有ＩＤが示すアクセスポイントと無線通信するのに必要な送信電力値に関する電力情報を、プロファイル記憶部１３が記憶する規定情報から抽出する帰属アクセスポイント判別部１５と、抽出した電力情報によって示される送信電力値でアクセスポイントと無線通信する送信電力制御部１６と、を備える。【選択図】図２
2008301432.tif 000002
【特許請求の範囲】
【請求項１】
クライアント端末と、前記クライアント端末が無線通信可能な複数のアクセスポイントとを含んで構成される無線ＬＡＮシステムであって、
前記クライアント端末は、
前記複数のアクセスポイントのうち一のアクセスポイントと無線通信するのに必要な送信電力値に関する電力情報をアクセスポイントごとに規定する規定情報を予め記憶する記憶手段と、
在圏するアクセスポイントから、前記複数のアクセスポイントそれぞれを識別する識別情報を受信する識別受信手段と、
前記識別受信手段が受信した前記識別情報が示すアクセスポイントと無線通信するのに必要な前記送信電力値に関する前記電力情報を、前記記憶手段が記憶する前記規定情報から抽出する抽出手段と、
前記抽出手段が抽出した前記電力情報によって示される前記送信電力値で前記在圏するアクセスポイントと無線通信する通信手段と、
を備える無線ＬＡＮシステム。
【請求項２】
複数のアクセスポイントと無線通信可能なクライアント端末であって、
前記複数のアクセスポイントのうち一のアクセスポイントと無線通信するのに必要な送信電力値に関する電力情報をアクセスポイントごとに規定する規定情報を予め記憶する記憶手段と、
在圏するアクセスポイントから、前記複数のアクセスポイントそれぞれを識別する識別情報を受信する識別受信手段と、
前記識別受信手段が受信した前記識別情報が示すアクセスポイントと無線通信するのに必要な前記送信電力値に関する前記電力情報を、前記記憶手段が記憶する前記規定情報から抽出する抽出手段と、
前記抽出手段が抽出した前記電力情報によって示される前記送信電力値で前記在圏するアクセスポイントと無線通信する通信手段と、
を備えるクライアント端末。
【請求項３】
前記規定情報を予め格納する格納装置に対して、予め設定されたタイミングで前記規定情報の送信を要求する要求情報を送信する要求送信手段と、
前記要求情報を受信した前記格納装置から前記規定情報を受信して前記記憶手段に記憶させる規定受信手段と、
を更に備える、請求項２に記載のクライアント端末。
【請求項４】
前記規定受信手段が前記規定情報を受信する際に用いる通信プロトコルは、前記通信手段が前記在圏するアクセスポイント経由で他の通信装置と情報の送受信を行う際に用いる通信プロトコルと、同一の通信プロトコルである、
請求項３に記載のクライアント端末。
【発明の詳細な説明】
【技術分野】
【０００１】
本発明は、クライアント端末及びアクセスポイントを含んで構成される無線ＬＡＮシステムと、複数のアクセスポイントと無線通信可能なクライアント端末とに関する。
【背景技術】
【０００２】
無線ＬＡＮ（Ｌｏｃａｌ  Ａｒｅａ  Ｎｅｔｗｏｒｋ）システムにおけるアクセスポイント及びクライアント端末の消費電力を低減することが行われている。
【０００３】
例えば、下記の特許文献１に開示された送信電力制御方法では、図１に示すように、まず、アクセスポイント２が、ＧＰＳ（Ｇｌｏｂａｌ  Ｐｏｓｉｔｉｏｎｉｎｇ  Ｓｙｓｔｅｍ）信号を受信しアクセスポイント位置情報を求める。また、クライアント端末１が、ＧＰＳ信号を受信し端末位置情報を求め、この端末位置情報をアクセスポイント２に送信する。アクセスポイント２は、アクセスポイント位置情報及び端末位置情報に基づいて送信電力値を決定し、アクセスポイント２及びクライアント端末１の送信電力を適切に制御する。このようにして、アクセスポイント２及びクライアント端末１の消費電力の低減が図られている。
【特許文献１】特開２００５−３０３６６９号公報
【発明の開示】
【発明が解決しようとする課題】
【０００４】
上記の特許文献１に開示されたようなＧＰＳ信号の受信結果に基づく送信電力の制御を行わない場合、送信電力の異なるアクセスポイントが同一の無線ＬＡＮシステム内に混在する状況では、通常、クライアント端末の送信電力は、無線エリアの最も広い（即ち、送信出力の最も高い）アクセスポイントに在圏した場合を基準として算出され、すべてのクライアント端末にはこの算出された送信電力値が設定される。なお、アクセスポイントの無線エリアの広さは、アクセスポイントの送信電力の大きさに依存している。
【０００５】
このため、この送信電力値が設定されたクライアント端末が、無線エリアの狭いアクセスポイントに在圏する場合には、クライアント端末から過剰な送信電力で無線信号が送信される可能性がある。この結果、このクライアント端末において余計な送信電力が消費されてしまう恐れがある。
【０００６】
そこで、本発明は、上記問題点を解決するためになされたものであり、無線ＬＡＮシステムにおけるクライアント端末による余計な送信電力の消費を防止して消費電力を低減することが可能な無線ＬＡＮシステム及びクライアント端末を提供することを目的とする。
【課題を解決するための手段】
【０００７】
上記目的を達成するために、本発明に係る無線ＬＡＮシステムは、クライアント端末と、クライアント端末が無線通信可能な複数のアクセスポイントとを含んで構成される無線ＬＡＮシステムであって、クライアント端末は、複数のアクセスポイントのうち一のアクセスポイントと無線通信するのに必要な送信電力値に関する電力情報をアクセスポイントごとに規定する規定情報を予め記憶する記憶手段と、在圏するアクセスポイントから、複数のアクセスポイントそれぞれを識別する識別情報を受信する識別受信手段と、識別受信手段が受信した識別情報が示すアクセスポイントと無線通信するのに必要な送信電力値に関する電力情報を、記憶手段が記憶する規定情報から抽出する抽出手段と、抽出手段が抽出した電力情報によって示される送信電力値で在圏するアクセスポイントと無線通信する通信手段と、を備えることを特徴とする。
【０００８】
また、上記目的を達成するために、本発明に係るクライアント端末は、複数のアクセスポイントと無線通信可能なクライアント端末であって、複数のアクセスポイントのうち一のアクセスポイントと無線通信するのに必要な送信電力値に関する電力情報をアクセスポイントごとに規定する規定情報を予め記憶する記憶手段と、在圏するアクセスポイントから、複数のアクセスポイントそれぞれを識別する識別情報を受信する識別受信手段と、識別受信手段が受信した識別情報が示すアクセスポイントと無線通信するのに必要な送信電力値に関する電力情報を、記憶手段が記憶する規定情報から抽出する抽出手段と、抽出手段が抽出した電力情報によって示される送信電力値で在圏するアクセスポイントと無線通信する通信手段と、を備えることを特徴とする。
【０００９】
本発明に係る無線ＬＡＮシステム及びクライアント端末では、まず、クライアント端末の識別受信手段が受信した識別情報が示すアクセスポイントと無線通信するのに必要な送信電力値に関する電力情報を、クライアント端末の記憶手段が記憶する規定情報から、クライアント端末の抽出手段が抽出する。そして、クライアント端末の抽出手段が抽出した電力情報によって示される送信電力値で、クライアント端末の通信手段がこのアクセスポイントと無線通信する。これにより、クライアント端末は、常に、識別情報を受信したアクセスポイントと無線通信するのに必要な送信電力値で、当該アクセスポイントと無線通信する。この結果、無線ＬＡＮシステムにおけるクライアント端末による余計な送信電力の消費を防止して、消費電力を低減することが可能となる。
【００１０】
また、クライアント端末は、規定情報を予め格納する格納装置に対して、予め設定されたタイミングで規定情報の送信を要求する要求情報を送信する要求送信手段と、要求情報を受信した格納装置から規定情報を受信する規定受信手段と、を更に備えるのも好ましい。これにより、予め設定されたタイミングで要求情報が送信されて規定情報が受信される。このため、常に、予め設定されたタイミングで規定情報を受信して更新することが可能となる。
【００１１】
また、規定受信手段が規定情報を受信する際に用いる通信プロトコルは、通信手段が在圏するアクセスポイントと経由で他の通信装置と情報の送受信を行う際に用いる通信プロトコルと、同一の通信プロトコルであるのも好ましい。これにより、通信プロトコルを共通化できるので、クライアント端末の構成を簡素にして、製造コストを低減させることが可能となる。
【発明の効果】
【００１２】
本発明によれば、無線ＬＡＮシステムにおけるクライアント端末による余計な送信電力の消費を防止して消費電力を低減することが可能な無線ＬＡＮシステム及びクライアント端末を提供することができる。
【発明を実施するための最良の形態】
【００１３】
以下、添付図面を参照しながら本発明の好適な実施形態を説明する。なお、図面の説明において同一要素には同一符号を付し、重複する説明を省略する。
【００１４】
（１）無線ＬＡＮシステムの構成
まず、本実施形態に係る無線ＬＡＮシステム１００の構成について、図２を用いて説明する。図２は、無線ＬＡＮシステム１００の構成を説明するための構成図である。無線ＬＡＮシステム１００は、複数のクライアント端末１０，１０Ａ，１０Ｂと、複数のアクセスポイント２０，２０Ａ，２０Ｂと、制御装置３０（格納装置）と、を含んで構成されている。
【００１５】
ここで、クライアント端末１０，１０Ａ，１０Ｂとアクセスポイント２０，２０Ａ，２０Ｂとは互いに無線通信を行うことができ、これによって無線ＬＡＮが構成されている。アクセスポイント２０，２０Ａ，２０Ｂは、有線のネットワークにも接続されており、クライアント端末１０，１０Ａ，１０Ｂの消費電力の制御を行う制御装置３０に当該有線のネットワークにより接続されている。クライアント端末１０，１０Ａ，１０Ｂは、アクセスポイント２０，２０Ａ，２０Ｂを介して、制御装置３０に通信接続することができる。
【００１６】
なお、アクセスポイント２０，２０Ａ，２０Ｂは、市販されている通常の機能を有するアクセスポイント装置である。ここでは、クライアント端末１０，１０Ａ，１０Ｂもアクセスポイント２０，２０Ａ，２０Ｂもそれぞれ３つあるとして説明するが、クライアント端末及びアクセスポイントの数は特に限定されない。
【００１７】
（２）クライアント端末の構成
次に、本実施形態に係るクライアント端末１０の構成について、図２〜図４を用いて説明する。なお、クライアント端末１０Ａ，１０Ｂの構成は、クライアント端末１０と同様の構成である。図３は、クライアント端末１０のハードウェア構成を示す構成図であり、図４は、クライアント端末１０に実装されたソフトウェアブロックを示すソフトウェアブロック図である。クライアント端末の例としては、無線ＬＡＮ接続機能を有する携帯電話機やパソコンやＰＤＡ等が挙げられる。図３に示すように、クライアント端末１０は、ＣＰＵ１０１、ＲＡＭ１０２、ＲＯＭ１０３、操作部１０４、無線通信部１０５、ディスプレイ１０６、及びアンテナ１０７等のハードウェアにより構成されている。これらの構成要素が動作することにより、以下に説明する各機能が発揮される。
【００１８】
図２に示すように、クライアント端末１０は、機能的な構成要素として、通信制御部１１（要求送信手段）、通信処理部１２（規定受信手段）、プロファイル記憶部１３（記憶手段）、無線部１４（識別受信手段）、帰属アクセスポイント（ＡＰ）判別部１５（抽出手段）、送信電力制御部１６（通信手段）、及びクライアント制御部１７（制御手段）を有している。
【００１９】
通信制御部１１は、プロファイル情報（規定情報）を予め格納する制御装置３０に対して、予め設定されたタイミングで要求情報を送信する。ここで、要求情報とは、プロファイル情報の送信を要求する情報である。また、プロファイル情報とは、複数のアクセスポイント２０，２０Ａ，２０Ｂのうち何れか一のアクセスポイントと無線通信する際に必要な送信電力値に関する電力情報を、アクセスポイント２０，２０Ａ，２０Ｂごとに規定する情報である。クライアント端末１０は、この送信電力値の電力で、アクセスポイント２０，２０Ａ，２０Ｂの何れかと無線通信する。なお、予め設定されたタイミングとは、例えば、クライアント端末１０の電源がＯＮ状態となったタイミングや、クライアント端末１０に予め設定されたスケジュールに沿ったタイミング等である。
【００２０】
通信処理部１２は、上記の要求情報を受信した制御装置３０から、上記のプロファイル情報を受信してプロファイル記憶部１３に記憶させる。
【００２１】
プロファイル記憶部１３は、上記のプロファイル情報を予め記憶して蓄積する。また、プロファイル記憶部１３は、すでに記憶されていたプロファイル情報を、通信処理部１２が新たに受信したプロファイル情報で更新して記憶することも行う。
【００２２】
無線部１４は、クライアント端末１０がアクセスポイント２０，２０Ａ，２０Ｂの何れか（例えばアクセスポイント２０）に帰属（即ち在圏）する際に、このアクセスポイント２０から、複数のアクセスポイント２０，２０Ａ，２０Ｂそれぞれを識別するための固有ＩＤ（識別情報）を受信する。ここで、すでに受信していた固有ＩＤと異なる新たな固有ＩＤを受信した場合は、この新たな固有ＩＤに更新して保持する。
【００２３】
帰属アクセスポイント判別部１５は、無線部１４が受信した固有ＩＤから、どのアクセスポイント（ここではアクセスポイント２０）に帰属しているかを判断し、この固有ＩＤが示すアクセスポイント２０と無線通信するのに必要な送信電力値に関する電力情報を、プロファイル記憶部１３が記憶するプロファイル情報から抽出する。
【００２４】
送信電力制御部１６は、帰属アクセスポイント判別部１５が抽出した電力情報によって示される送信電力値で、アクセスポイント（ここではアクセスポイント２０）と無線通信を開始する。送信電力制御部１６は、固有ＩＤやプロファイル情報が更新されたか否かを所定の時間間隔で監視する。ハンドオーバが行われたとき等によって固有ＩＤが更新された場合は、帰属アクセスポイント判別部１５が、更新された固有ＩＤに基づく電力情報を抽出する。このため、クライアント端末１０が高速移動中であっても、電力情報の変化や更新に対してより確実に追従できる。なお、プロファイル情報が更新された場合は、上記の帰属アクセスポイント判別部１５が、更新されたプロファイル情報から、改めて上記の電力情報を抽出する。
【００２５】
クライアント制御部１７は、クライアント端末１０における処理全体を制御する。
【００２６】
また、図４に示すように、クライアント端末１０において、第１ブロック１００１としてＮＩＣ（Network Interface Card）driverが、第２ブロック１００２としてＩＰ  ｓｏｃｋｅｔが、第３ブロック１００３としてＴＣＰ／ＵＤＰが、第４ブロック１００４として上記ブロック１００１〜１００３を含むｋｅｒｎｅｌが、第５ブロック１００５として端末情報送受信プロトコルａが、第６ブロック１００６として（プロファイル情報を含む）端末管理アプリケーションａが実装されている。
【００２７】
ここで、ＩＰ  ｓｏｃｋｅｔスタックやＴＣＰ／ＵＤＰスタックは、通常の端末や装置が備えるプロトコルスタックである。端末情報送受信プロトコルａは、クライアント端末１０と制御装置３０との間でプロファイル情報等の情報を送受信する等の汎用的なサービスのために利用されるプロトコルである。また、端末管理アプリケーションａは、図２に示す機能的な構成要素を含むアプリケーションプログラムであり、上記の送信電力値を適切に制御するのに利用されるアプリケーションブロックでもある。
【００２８】
（３）制御装置の構成
引き続き、本実施形態に係る制御装置３０の構成について、図２、図５、図６を用いて説明する。図５は、制御装置３０のハードウェア構成を示す構成図であり、図６は、制御装置３０に実装されたソフトウェアブロックを示すソフトウェアブロック図である。図５に示すように、制御装置３０は、ＣＰＵ３０１（Central Processing Unit）、主記憶装置であるＲＡＭ３０２（Random Access Memory）、ＲＯＭ３０３（Read Only Memory）、通信を行うための通信モジュール３０４、並びにハードディスク等の補助記憶装置３０５等のハードウェアを備えるコンピュータとして構成される。これらの構成要素が動作することにより、制御装置３０の機能が発揮される。
【００２９】
また、図２に示すように、制御装置３０は、機能的な構成要素として、通信処理部３１、プロファイル蓄積部３２、及びシステム制御部３３を有している。
【００３０】
通信処理部３１は、通信制御部１１から上記の要求情報を受信する。また、通信処理部３１は、この要求情報を送信したクライアント端末１０に対して、上記のプロファイル情報を送信する。
【００３１】
プロファイル蓄積部３２は、プロファイル情報を予め格納して蓄積している。
【００３２】
システム制御部３３は、制御装置３０における処理全体を制御する。
【００３３】
また、図６に示すように、制御装置３０において、第１ブロック３００１としてＮＩＣ（Network Interface Card）driverが、第２ブロック３００２としてＩＰ  ｓｏｃｋｅｔが、第３ブロック３００３としてＴＣＰ／ＵＤＰが、第４ブロック３００４として上記ブロック３００１〜３００３を含むｋｅｒｎｅｌが、第５ブロック３００５として端末情報送受信プロトコルｂ及びｈｔｔｐが、第６ブロック３００６として（プロファイル情報を含む）端末管理アプリケーションｂ及びｗｅｂ  ｂｒｏｗｓｅｒが実装されている。
【００３４】
ここで、ＩＰ  ｓｏｃｋｅｔスタックやＴＣＰ／ＵＤＰスタックは、通常の端末や装置が備えるプロトコルスタックである。端末情報送受信プロトコルｂは、制御装置３０とクライアント端末１０，１０Ａ，１０Ｂとの間でプロファイル情報等の情報を送受信する等の汎用的なサービスのために利用されるプロトコルである。また、端末管理アプリケーションｂは、図２に示す機能的な構成要素を含むアプリケーションプログラムであり、上記の送信電力値を適切に制御するのに利用されるアプリケーションブロックでもある。更に、ｗｅｂ  ｂｒｏｗｓｅｒは、通常の端末や装置が備えるプロトコルスタックであり、制御装置３０が管理するアクセスポイント２０，２０Ａ，２０Ｂに対して、情報の閲覧及び変更等のファイル操作を制御装置３０の管理者が実施可能なように実装されている。
【００３５】
（４）無線ＬＡＮシステムで実行される処理
引き続き、本実施形態に係るクライアント端末１０で実行される処理（送信電力制御方法）について、図７を用いて説明する。図７は、クライアント端末１０で実行される処理の流れを説明するためのフローチャートである。まず、クライアント端末１０の電源がＯＮ状態になると（又は、クライアント端末１０が無線エリアに移動するかハンドオーバが行われると）、無線部１４は、クライアント端末１０がアクセスポイント２０，２０Ａ，２０Ｂの何れか（例えばアクセスポイント２０）に帰属（即ち在圏）しようとする在圏処理を開始し、ここではアクセスポイント２０からの固有ＩＤを受信する（ステップＳ０１）。帰属アクセスポイント判別部１５は、この固有ＩＤから、どのアクセスポイント（ここではアクセスポイント２０）に帰属しているかを判断する（ステップＳ０２）。
【００３６】
次に、プロファイル情報がプロファイル記憶部１３に記憶されていれば、後述のステップＳ０５に移行するが、ここでは、プロファイル情報がプロファイル記憶部１３に記憶されていない場合であるとし、この場合、通信制御部１１が、アクセスポイント２０を介して、制御装置３０の通信処理部３１に対して、要求情報を送信する（ステップＳ０３）。要求情報を受信した通信処理部３１は、要求されたプロファイル情報をプロファイル蓄積部３２から取得すると、アクセスポイント２０を介して通信処理部１２に送信する。通信処理部１２は、プロファイル情報を受信すると、プロファイル記憶部１３に記憶させる（ステップＳ０４）。
【００３７】
ここでは、ステップＳ０１で受信した固有ＩＤによって固有ＩＤが更新された場合であるとし、この場合は次に、帰属アクセスポイント判別部１５が、更新された固有ＩＤに基づく電力情報を抽出する（ステップＳ０５）。なお、ステップＳ０４で受信したプロファイル情報によってプロファイル情報が更新された場合は、帰属アクセスポイント判別部１５が、更新されたプロファイル情報から、改めて上記の電力情報を抽出する。
【００３８】
そして、送信電力制御部１６は、帰属アクセスポイント判別部１５が抽出した電力情報によって示される送信電力値で、アクセスポイント（ここではアクセスポイント２０）と無線通信を開始する（ステップＳ０６）。なお、クライアント端末１０に予め設定されたスケジュールに沿ったタイミングで、上記のステップＳ０３，Ｓ０４の処理が行われてもよい。
【００３９】
（５）作用効果
以上のように、本発明に係る無線ＬＡＮシステム１００及びクライアント端末１０では、まず、クライアント端末１０が受信した固有ＩＤが示すアクセスポイント２０と無線通信するのに必要な送信電力値に関する電力情報が、クライアント端末１０が記憶する規定情報から抽出される。そして、抽出された電力情報によって示される送信電力値で、クライアント端末１０がアクセスポイント２０と無線通信する。これにより、クライアント端末１０は、常に、識別情報を受信したアクセスポイントと無線通信するのに必要な送信電力値で、当該アクセスポイントと無線通信してＷＬＡＮ（Ｗｉｒｅｌｅｓｓ  ＬＡＮ）接続する。この結果、無線ＬＡＮシステム１００におけるクライアント端末１０による余計な送信電力の消費を防止して消費電力を低減することが可能となる。
【００４０】
また、余計な送信電力の消費を防止することにより、他の同一周波数の無線信号を利用する無線エリアに対して、このクライアント端末１０が与干渉源となることを防ぐことができる。この結果、無線ＬＡＮ技術を用いたＶｏＩＰ（Ｖｏｉｃｅ  ｏｖｅｒ  ＩＰ）システムにおける通話品質およびクライアント接続容量の低下を防止することが可能となる。
【００４１】
また、クライアント端末１０は、予め設定されたタイミングで、制御装置３０に対して要求情報を送信し、この要求情報を受信した制御装置３０からプロファイル情報を受信する。これにより、予め設定されたタイミングで要求情報が送信されて規定情報が受信される。このため、常に、予め設定されたタイミングで規定情報を更新することが可能となる。
【００４２】
また、クライアント端末１０及び制御装置３０以外の、企業等の無線ＬＡＮシステムの一部として既に配備されている装置（例えばアクセスポイント２０，２０Ａ，２０Ｂ等）に対しては、設定変更や仕様変更を行うことなく利用できるため、本発明に係るシステム１００の整備に伴うコストを抑制できる。
【００４３】
（６）変形例
以上、本発明者によってなされた発明を実施形態に基づき具体的に説明したが、本発明は上記の実施形態に限定されるものではなく、種々の変形が可能である。例えば、図８に示すように、上記した無線ＬＡＮシステム１００の変形例である無線ＬＡＮシステム２００は、複数のクライアント端末１０Ｃ，１０Ａ，１０Ｂと、複数のアクセスポイント２０，２０Ａ，２０Ｂと、制御装置３０と、アプリケーションサーバ４０とを含んで構成されていてもよい。アプリケーションサーバ４０は、有線のネットワークに接続されており、アクセスポイント２０，２０Ａ，２０Ｂ及び制御装置３０に当該有線のネットワークにより接続されている。アプリケーションサーバ４０は、クライアント端末１０Ｃに対して様々な情報を送信してサービス提供するアプリケーションプログラムが起動しているサーバである。
【００４４】
クライアント端末１０Ｃは、クライアント端末１０に更にアプリケーション処理部１８（通信手段）を設けた構成を有している。アプリケーション処理部１８は、アクセスポイント２０，２０Ａ，２０Ｂを介してアプリケーションサーバ４０と情報の送受信を行う。これにより、上記のサービス提供がクライアント端末１０Ｃのユーザに対して行われる。
【００４５】
ここで、通信処理部１２がプロファイル情報を受信する際に用いる通信プロトコルを、アプリケーション処理部１８がアクセスポイント２０経由で他の通信装置（例えばアプリケーションサーバ４０）と情報の送受信を行う際に用いる通信プロトコルと、同一の通信プロトコル（端末情報送受信プロトコルａ）としている。これにより、通信プロトコルを共通化できるので、クライアント端末１０Ｃの構成を簡素にして、端末の製造コストを低減させることが可能となる。
【図面の簡単な説明】
【００４６】
【図１】従来の技術を用いた無線ＬＡＮシステムにおける、端末とアクセスポイントとの関係を説明する構成図である。
【図２】本発明の実施形態における無線ＬＡＮシステムの構成を説明するための構成図である。
【図３】実施形態におけるクライアント端末のハードウェア構成を示す構成図である。
【図４】実施形態における無線端末に実装されたソフトウェアブロックを示すソフトウェアブロック図である。
【図５】実施形態における制御装置のハードウェア構成を示す構成図である。
【図６】実施形態における制御装置に実装されたソフトウェアブロックを示すソフトウェアブロック図である。
【図７】実施形態におけるクライアント端末で実行される処理の流れを説明するためのフローチャートである。
【図８】本発明の実施形態における無線ＬＡＮシステムの変形例の構成を説明するための構成図である。
【符号の説明】
【００４７】
１０，１０Ａ，１０Ｂ，１０Ｃ…クライアント端末、１１…通信制御部、１２…通信処理部、１３…プロファイル記憶部、１４…無線部、１５…帰属アクセスポイント判別部、１６…送信電力制御部、１７…クライアント制御部、１８…アプリケーション処理部、２０，２０Ａ，２０Ｂ…アクセスポイント、３０…制御装置、３１…通信処理部、３２…プロファイル蓄積部、３３…システム制御部、４０…アプリケーションサーバ、１００，２００…無線ＬＡＮシステム。
【図１】
2008301432.tif 000003
【図２】
2008301432.tif 000004
【図３】
2008301432.tif 000005
【図４】
2008301432.tif 000006
【図５】
2008301432.tif 000007
【図６】
2008301432.tif 000008
【図７】
2008301432.tif 000009
【図８】
2008301432.tif 000010